(57)【要約】【課題】車両に搭載される車載装置について、タッチパネルを備える構成を利用してユーザの利便性を向上する。【解決手段】車載装置１は、タッチパネル１１と、音声を出力する音声処理部２９と、タッチパネル１１が接触操作された場合、接触操作された接触位置を検出する制御部２０と、を備える。制御部２０は、２箇所以上の接触位置が第１の態様で変化したことを検出した場合、音量増減モードへ移行し、音量増減モードへ移行後、２箇所以上の接触位置が第２の態様で変化したことを検出した場合、変化に応じて音声処理部２９が出力する音声の音量を増減させる。【選択図】図２
2016201016.tif 000002
【特許請求の範囲】
【請求項１】
タッチパネルと、
音声を出力する音声処理部と、
前記タッチパネルが接触操作された場合、接触操作された接触位置を検出する制御部と、を備え、
前記制御部は、
２箇所以上の接触位置が第１の態様で変化したことを検出した場合、音量増減モードへ移行し、
前記音量増減モードへ移行後、２箇所以上の接触位置が第２の態様で変化したことを検出した場合、変化に応じて前記音声処理部が出力する音声の音量を増減させる
ことを特徴とする車載装置。
【請求項２】
前記第１の態様は、
２箇所以上の接触位置が一体的に変化する態様であることを特徴とする請求項１に記載の車載装置。
【請求項３】
前記第１の態様は、
２箇所以上の接触位置が互いに近づく方向へ移動した後に停止する態様であることを特徴とする請求項２に記載の車載装置。
【請求項４】
前記第２の態様は、
２箇所以上の接触位置が、時計回り、又は、反時計回りのいずれかの方向に一体的に回動する態様であり、
前記制御部は、
２箇所以上の接触位置の一の方向への回動に応じて、前記音声処理部が出力する音声の音量を増大し、
２箇所以上の接触位置の他の方向への回動に応じて、前記音声処理部が出力する音声の音量を低減することを特徴とする請求項１に記載の車載装置。
【請求項５】
前記制御部は、
２箇所以上の接触位置が一の方向へ回動した後、接触位置への接触操作が維持された状態で回動が停止した場合、接触位置への接触操作の解除に伴って接触位置が検出されなくなるまでの間、前記音声処理部が出力する音声の音量を継続して増大し、
２箇所以上の接触位置が他の方向へ回動した後、接触位置への接触操作が維持された状態で回動が停止した場合、接触位置への接触操作の解除に伴って接触位置が検出されなくなるまでの間、前記音声処理部が出力する音声の音量を継続して低減することを特徴とする請求項４に記載の車載装置。
【請求項６】
前記制御部は、
前記第１の態様で変化した後の２箇所以上の接触位置の離間距離に応じて、接触位置が所定単位の角度で一の方向へ回動したときの音量の増大量を変化させ、
前記第１の態様で変化した後の２箇所以上の接触位置の離間距離に応じて、接触位置が所定単位の角度で他の方向へ回動したときの音量の低減量を変化させることを特徴とする請求項４に記載の車載装置。
【請求項７】
前記制御部は、
２箇所以上の接触位置が一の方向へ、所定角度、回動したときの音量の増大量を、
２箇所以上の接触位置が他の方向へ、当該所定角度、回動したときの音量の低減量よりも小さくすることを特徴とする請求項４に記載の車載装置。
【請求項８】
前記制御部は、
２箇所以上の接触位置を検出した後、各接触位置の移動により、各接触位置の離間距離が所定距離よりも小さくなった場合、前記音声処理部による音声の出力を停止することを特徴とする請求項１に記載の車載装置。
【請求項９】
前記制御部は、
２箇所以上の接触位置が第１の態様で変化したことを検出した場合、変化後の各接触位置に基づく形状のオブジェクト画像を前記タッチパネルに表示することを特徴とする請求項１に記載の車載装置。
【請求項１０】
前記オブジェクト画像は、前記タッチパネルに表示された背景画像に重ねて表示され、
前記制御部は、
前記オブジェクト画像を、前記オブジェクト画像が表示された領域に含まれる前記背景画像が透けて視認可能な態様で表示することを特徴とする請求項９に記載の車載装置。
【請求項１１】
前記オブジェクト画像は、２箇所以上の接触位置が外周に位置する円状の又は環状の画像であることを特徴とする請求項９に記載の車載装置。
【請求項１２】
前記制御部は、
前記オブジェクト画像の表示中に、前記タッチパネルに、ポップアップ画像を表示する場合、前記オブジェクト画像の表示を停止し、又は、前記オブジェクト画像と前記ポップアップ画像とが重なる領域について前記ポップアップ画像を優先して表示することを特徴とする請求項９に記載の車載装置。
【請求項１３】
前記制御部は、
音量増減モードへ移行した後、接触位置への接触操作の解除に伴って２箇所以上の接触位置が検出されなくなった場合、
２箇所以上の接触位置が検出されなくなった後、所定期間の間、音量増減モードへ移行した状態を維持し、
２箇所以上の接触位置が検出されることなく、所定期間が経過した場合、音量増減モードへの移行を解除することを特徴とする請求項１に記載の車載装置。
【発明の詳細な説明】
【技術分野】
【０００１】
本発明は、車載装置に関する。
【背景技術】
【０００２】
本技術分野の背景技術として、特開２０１０−３６６２０号公報がある（特許文献１）。この公報には、「音量制限釦３２が音量調整スライドバーに設けることによって、最大音量を、音量設定釦３２によって設定された音量に容易に制限することができるので、音量調整スライドバーを用いて音量調整を行う際に最大音量を容易に設定することができる。また、音量増大釦３４を音量設定釦３１に対して右側に配置するとともに、音量減少釦３５を音量設定釦に対して左側に配置する。これによって、最大音量の微調整が容易になり、音量調整スライドバーを用いて音量調整を行う際に最大音量を更に容易に設定することができる。」と記載されている。
【先行技術文献】
【特許文献】
【０００３】
【特許文献１】特開２０１０−３６６２０号公報
【発明の概要】
【発明が解決しようとする課題】
【０００４】
しかしながら、特許文献１に記載に記載の車載装置（車載用電子機器）では、音量調整を行うユーザは、タッチパネルに表示された音量調整スライドバーを視認しつつ、操作を行う必要があり、車両に搭載される装置として、ユーザの利便性を向上する余地があった。
本発明は、上述した事情に鑑みてなされたものであり、車両に搭載される車載装置について、タッチパネルを備える構成を利用してユーザの利便性を向上することを目的とする。
【課題を解決するための手段】
【０００５】
上記目的を達成するために、車載装置は、タッチパネルと、音声を出力する音声出力部と、前記タッチパネルが接触操作された場合、接触操作された接触位置を検出する制御部と、を備え、前記制御部は、２つ以上の接触位置が第１の態様で変化したことを検出した場合、音量増減モードへ移行し、前記音量変化モードへ移行後、２つ以上の接触位置が第２の態様で変化したことを検出した場合、変化に応じて前記音声出力部が出力する音声の音量を増減させる。
【発明の効果】
【０００６】
本発明によれば、ユーザの利便性が向上する。
【図面の簡単な説明】
【０００７】
【図１】本実施形態に係る車載装置の正面図。
【図２】車載装置の機能ブロック図。
【図３】車載装置の動作を示すフローチャート。
【図４】（Ａ）は２箇所の接触位置を接触操作するときの様子を示す図、（Ｂ）は３箇所の接触位置を接触操作するときの様子を示す図。
【図５】第１の態様の例を示す図。
【図６】オブジェクト画像の例を示す図。
【図７】第２の態様の例を示す図。
【図８】車載装置の動作を示すフローチャート。
【図９】回動方向、回動角度の説明に利用する図。
【図１０】（Ａ）は第１テーブルを示す図、（Ｂ）は第２テーブルを示す図。
【発明を実施するための形態】
【０００８】
以下、図面を参照して本発明の実施形態について説明する。
【０００９】
図１は、本実施形態に係る車載装置１の正面図である。
車載装置１は、車両のダッシュボード等に設けられる装置である。車載装置１は、後述するように、所定の音声を出力する機能、車両の現在位置を検出する自車位置検出を行う機能、地図上に車両の現在位置を表示する車両位置表示を行う機能、目的地までの経路を探索する経路探索を行う機能、及び、地図を表示して、地図上に目的地までの経路を表示し目的地までの経路を案内する経路案内を行う機能等を備える。
【００１０】
図１に示すように、車載装置１は、制御基板や、インターフェイスボード、電源回路等を収納する筐体１０を備える。筐体１０の正面には、タッチパネル１１が設けられる。筐体１０の正面において、タッチパネル１１の下方には、電源スイッチ１２や、指示入力を行う入力スイッチ１３、ロータリスイッチ１４等の操作スイッチＳが設けられた操作パネル１５が設けられる。ロータリスイッチ１４は、操作パネル１５から前方へ向かって突出した円柱状のつまみ部を有し、つまみ部を回動させることによって操作される。ユーザは、つまみ部を把持し、時計回りに回動させることによって、車載装置１が出力する音声の音量を増大させることができる。また、ユーザは、つまみ部を把持し、反時計回りに回動させることによって、車載装置１が出力する音声の音量を低減させることができる。また、ロータリスイッチ１４のつまみ部は、押下操作も可能であり、ユーザは、つまみ部を押下操作することによって、音声の出力を停止（いわゆるミュート）させることができる。
【００１１】
図２は、車載装置１の機能的構成を示すブロック図である。
図２に示すように、車載装置１は、制御部２０と、記憶部２１と、操作部２２と、無線通信部２３と、ＧＰＳユニット２４と、相対方位検出ユニット２５と、ビーコン受信ユニット２６と、ＦＭ多重受信ユニット２７と、タッチパネル１１と、メディア制御部２８と、音声処理部２９と、を備える。
【００１２】
制御部２０は、ＣＰＵや、ＲＯＭ、ＲＡＭ、その他周辺回路等を備え、車載装置１の各部を制御する。制御部２０は、例えば、ＣＰＵが、ＲＯＭが記憶する制御プログラムを読み出して実行する等、ハードウェアとソフトウェアとの協働により、車載装置１の各部を制御する。
【００１３】
記憶部２１は、不揮発性メモリーを備え、各種データを記憶する。記憶部２１は、地図データ２１１を記憶する。地図データ２１１は、道路の形状の描画に係る道路描画データや、地形等の背景の描画に係る背景描画データ、行政区画等の文字列の描画に係る文字列描画データ等の地図の表示に係る描画データを含む。また、地図データ２１１は、交差点等の道路網における結線点に対応するノードに関する情報を有するノード情報や、ノードとノードとの間に形成される道路に対応するリンクに関する情報を有するリンク情報等の経路の探索、及び、経路の案内に係る情報を含む。
【００１４】
また、記憶部２１は、第１テーブルＴＢ１と、第２テーブルＴＢ２とを記憶する。これらテーブルについては、後述する。
【００１５】
操作部２２は、操作スイッチＳを備え、操作スイッチＳに対する操作を検出し、操作に対応する信号を制御部２０に出力する。制御部２０は、操作部２２から入力された信号に基づいて、操作に対応する処理を実行する。
【００１６】
無線通信部２３は、Bluetooth（登録商標）等の無線通信の通信規格に従って、外部装置と無線通信リンクを確立し、制御部２０の制御で、外部装置と無線通信する。なお、外部装置との通信で使用する通信規格は、Bluetoothに限らず、アドホックモード又はインフラストラクチャーモードに対応する無線ＬＡＮに係る通信規格等の他の無線通信に係る通信規格であってもよい。また、外部装置と車載装置１とを有線接続し、無線通信部２３が、制御部２０の制御で、有線通信の通信規格（ＵＳＢや、ＩＥＥＥ１３９４等）に従って通信する構成であってもよい。
無線通信部２３は、車両に搭乗するユーザの携帯電話ＫＤ、及び、携帯音響機器ＫＫと通信可能である。
【００１７】
携帯電話ＫＤは、他の電話からの呼び出しに応じる機能のほか、電話回線や無線ＬＡＮ等を介してインターネットにアクセスする機能、及び、ＳＭＳに係るメールや、Ｗｅｂメール等のメールを所定のサーバから受信する機能、チャットアプリや、メッセンジャーアプリ等の機能によりメッセージを所定のサーバから受信する機能を有する。
【００１８】
携帯電話ＫＤは、インストールされたアプリケーションの機能により、他の電話からの呼び出しがあった場合、メールを受信した場合、及び、メッセージを受信した場合、対応する情報（以下、「受信通知情報」という。）を車載装置１に無線通信により送信する。他の電話からの呼び出しに係る受信通知情報は、例えば、呼び出し元を特定する情報等を含み、メールに係る受信通知情報は、例えば、メールの送信元を特定する情報や、題名を示す情報を含み、メッセージに係る受信通知情報は、例えば、メッセージの送信元を特定する情報を含む。制御部２０は、無線通信部２３を制御して、受信通知情報を受信し、受信通知情報を含むポップアップ画像をポップアップにより表示する。
【００１９】
携帯音響機器ＫＫは、不揮発性メモリーを備え、音楽等の音声が記録された音声ファイルを記憶し、ユーザの指示に応じて、音声ファイルに基づく音声データを車載装置１に送信する。
【００２０】
ＧＰＳユニット２４は、図示せぬＧＰＳアンテナを介してＧＰＳ衛星からのＧＰＳ電波を受信し、ＧＰＳ電波に重畳されたＧＰＳ信号から、車両の現在位置と進行方向とを演算により取得する。ＧＰＳユニット２４は、取得結果を制御部２０に出力する。
【００２１】
相対方位検出ユニット２５は、ジャイロセンサと、加速度センサとを備える。ジャイロセンサは、例えば振動ジャイロにより構成され、車両の相対的な方位（例えば、ヨー軸方向の旋回量）を検出する。加速度センサは、車両に作用する加速度（例えば、進行方向に対する車両の傾き）を検出する。相対方位検出ユニット２５は、検出結果を制御部２０に出力する。
【００２２】
ビーコン受信ユニット２６は、車両が走行する道路に設けられた電波ビーコンや光ビーコンが発する道路交通情報に係る電波を受信し、受信した電波に基づいて道路交通情報を生成し、生成した道路交通情報を制御部２０に出力する。道路交通情報は、ＶＩＣＳ（登録商標）（Vehicle Information and Communication System：道路交通情報通信システム）情報であり、渋滞に関する情報や、道路の交通規制に関する情報等を含む。
【００２３】
ＦＭ多重受信ユニット２７は、ＦＭ多重放送波を受信して、道路交通情報を抽出し、制御部２０に出力する。より詳細には、ＦＭ多重受信ユニット２７は、ＦＭ多重専用チューナと、多重エンコーダと、を備えている。ＦＭ多重専用チューナは、ＦＭ多重放送を受信すると、ＦＭ多重信号を多重エンコーダに出力する。多重エンコーダは、ＦＭ多重専用チューナから入力されたＦＭ多重信号を復号して道路交通情報を取得し、制御部２０に出力する。
【００２４】
制御部２０は、ビーコン受信ユニット２６、又は、ＦＭ多重受信ユニット２７から道路交通情報が入力された場合、後述する音声処理部２９を制御して、道路交通情報を音声で出力する。また、制御部２０は、ビーコン受信ユニット２６、又は、ＦＭ多重受信ユニット２７から道路交通情報が入力された場合、タッチパネル１１に、道路交通情報を含むポップアップ画像をポップアップにより表示する。
【００２５】
タッチパネル１１は、表示パネル１１１と、タッチセンサ１１２とを備える。
【００２６】
表示パネル１１１は、液晶表示パネルや有機ＥＬ表示パネル等の表示装置である。制御部２０は、表示パネル１１１に表示する画像の画像データをフレームメモリーＦＭに展開し、フレームメモリーに展開した画像データに基づいて、表示パネル１１１を駆動して、表示パネル１１１に画像を表示する。
【００２７】
タッチセンサ１１２は、タッチパネル１１が接触操作された場合、接触操作された位置（以下、「接触位置」という。）を示す信号を制御部２０に出力する。接触操作とは、手指の先等の指示体によりタッチパネル１１の所定の位置が接触されて行われる操作をいう。なお、静電容量式のタッチパネル等では、当該タッチパネルに対する指示体の物理的な接触がない場合であっても、指示体が当該タッチパネルに近接したときに操作を検出するものがあるが、このような方法により検出される操作も本実施形態の接触操作の概念に含まれる。制御部２０は、タッチセンサ１１２から接触位置を示す信号が入力された場合、入力された信号に基づいて、表示パネル１１１の表示領域の任意の位置を座標によって表すための所定の座標系における、接触位置の座標（以下、「接触位置座標」という。）を検出する。制御部２０が、タッチセンサ１１２からの入力に基づいて、接触位置に係る接触位置座標を検出する処理は、「タッチパネルが接触操作された場合、接触操作された接触位置を検出する」処理に相当する。
【００２８】
メディア制御部２８は、ＣＤ（Compact Disc）や、ＤＶＤ（Digital Versatile Disk）等のメディアを収納し、収納したメディアを駆動するドライブを備え、メディアから読み出した情報に基づいて音声データを生成し、制御部２０に出力する。
【００２９】
制御部２０は、メディア制御部２８から入力された音声データ、又は、携帯音響機器ＫＫから無線通信部２３を介して入力された音声データに基づいて音声信号を生成し、音声処理部２９に出力する。
【００３０】
音声処理部２９は、Ｄ／Ａコンバータや、ボリューム回路、アンプ回路、スピーカー等を備え、制御部２０の制御で、制御部２０から入力された音声信号をＤ／Ａコンバータによりデジタル／アナログ変換し、ボリューム回路により音量レベルを調整し、アンプ回路により増幅して、スピーカーから音声として出力する。本実施形態では、音量レベルは、最も音量が小さいレベルＬＶ１から、最も音量が大きいレベルＬＶ５０までの５０段階の値をとる。制御部２０は、後述する方法によるユーザの指示に応じて、所定のレベル分の音量レベルの増大、又は、所定のレベル分の音量レベルの低減を指示する信号（以下、「音量調整信号」という。）をボリューム回路に出力し、音量レベルを増減できる。
【００３１】
なお、図２は、本願発明を理解容易にするために、車載装置１の機能構成を主な処理内容に応じて分類して示した概略図であり、車載装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
【００３２】
車載装置１は、車両の現在位置を検出する自車位置検出を行う機能、地図上に車両の現在位置を表示する車両位置表示を行う機能、目的地までの経路を探索する経路探索を行う機能、及び、地図を表示して、地図上に目的地までの経路を表示し、目的地までの経路を案内する経路案内を行う機能を備える。
【００３３】
自車位置検出に際し、制御部２０は、ＧＰＳユニット２４及び相対方位検出ユニット２５からの入力、及び、地図データ２１１に基づいて、車両の現在位置を検出する。なお、車両の現在位置を検出する方法はどのような方法であってもよく、また、検出に際し、車速を示す情報等の本実施形態で例示する情報以外の情報を用いてもよい。また、車両位置表示に際し、制御部２０は、地図データ２１１に基づいて、検出した現在位置を中心とした所定のスケールの地図をタッチパネル１１に表示すると共に、検出した車両の現在位置を地図上に表示する。また、経路探索に際し、制御部２０は、地図データ２１１に基づいて、検出した現在位置から、ユーザに設定された目的地に至る経路を探索する。また、経路案内に際し、制御部２０は、目的地までの経路を地図上に表示すると共に、検出した車両の現在位置を地図上に表示し、目的地に至るまでの経路を案内する。
【００３４】
また、経路の案内に際し、制御部２０は、適宜、音声処理部２９を制御して、経路の案内に係る情報を音声で出力する。また、経路の案内に際し、制御部２０は、適宜、タッチパネル１１に、経路の案内に係る情報を含むポップアップ画像をポップアップにより表示する。
【００３５】
上述したように、車載装置１は、音声を出力する機能を有し、メディア制御部２８や携帯音響機器ＫＫからの入力に基づく音声や、道路交通情報に係る音声、経路の案内に係る音声を出力する。出力される音声について、ユーザは、操作パネル１５の入力スイッチ１３や、ロータリスイッチ１４を操作することにより、音声の音量を変更することが可能である。そして、本実施形態に係る車載装置１は、タッチパネル１１を用いた以下の方法で、容易に音声の音量を変更することを可能とし、ユーザの利便性を向上する。
【００３６】
図３は、音量の変更に関する車載装置１の動作を示すフローチャートである。
図３に示すように、車載装置１の制御部２０は、タッチセンサ１１２からの入力に基づいて、タッチパネル１１への接触操作があったか否かを監視する（ステップＳＡ１）。
【００３７】
接触操作があったことを検出した場合（ステップＳＡ１：ＹＥＳ）、制御部２０は、接触操作された接触位置が「２箇所」以上であるか否かを判別する（ステップＳＡ２）。なお、ステップＳＡ２では、１箇所の接触位置が接触操作された状態で、新たに２箇所以上の接触位置への接触操作があった場合（２箇所以上の接触位置への接触操作にタイムラグがある場合）も、制御部２０は、接触操作された接触位置が２箇所以上であると判別する。
【００３８】
図４（Ａ）は、２箇所の接触位置を接触操作するときのユーザの左手の手指の状態の一例を示す図である。
２箇所の接触位置の接触操作に際し、ユーザは、例えば、図４（Ａ）で例示する態様で、親指の指先と、人差し指の指先とを離間させた状態で、これら指先をタッチパネル１１に接触させる。
【００３９】
図４（Ｂ）は、３箇所の接触位置を接触操作するときのユーザの手指の状態の一例を示す図である。
３箇所の接触位置の接触操作に際し、ユーザは、例えば、図４（Ｂ）で例示する態様で、親指の指先と、人差し指の指先と、中指の指先とを離間させた状態で、これら指先をタッチパネル１１に接触させる。
【００４０】
ここで、図４（Ａ）、（Ｂ）で例示したユーザの手指の状態は、ロータリスイッチ１４のつまみ部を把持する際のユーザの手指の状態に近似した状態である。このように、タッチパネル１１を利用した音量の変更に際して、ユーザは、ロータリスイッチ１４のつまみ部を把持する際の態様と同様の態様で手指を動かせばよく、タッチパネル１１を利用して音量を変更するときに行うべき作業がユーザにとってイメージしやすい。
【００４１】
また、２箇所以上の接触位置のそれぞれは、タッチパネル１１における任意の位置でよい。ここで、図１に示すように、タッチパネル１１は、車載装置１の筐体１０の正面の広い領域に設けられているため、入力スイッチ１や、ロータリスイッチ１４を操作する場合と異なり、ユーザは、操作する対象のタッチパネル１１を視認することなく、容易に、２か所以上の接触位置に対する接触操作を行うことができる。
【００４２】
なお、本実施形態では、タッチパネル１１を用いた音量の変更に際し、２箇所以上の接触位置に対する接触操作を必要とする。これは、例えば、タッチパネル１１に表示されたアイコンを接触操作してアイコンを選択する操作等、１箇所の接触位置に対する接触操作と、音量の変更を目的とした接触操作とを区別するためである。
【００４３】
ステップＳＡ２において、接触操作された接触位置が「２箇所」以上ではないと判別した場合（ステップＳＡ２：ＮＯ）、制御部２０は、処理手順をステップＳＡ１へ戻し、タッチパネル１１への２箇所以上の接触操作があったか否かを監視する。
【００４４】
ステップＳＡ２において、接触操作された接触位置が「２箇所」以上であると判別した場合（ステップＳＡ２：ＹＥＳ）、制御部２０は、接触位置のそれぞれの接触位置座標を検出する（ステップＳＡ３）。
【００４５】
次いで、制御部２０は、２箇所以上の接触位置が第１の態様で変化したか否かを監視しつつ（ステップＳＡ４）、接触操作された接触位置が１箇所以下となったか否かを監視する（ステップＳＡ５）。２箇所以上の接触位置が第１の態様で変化することなく（ステップＳＡ５：ＮＯ）、接触操作された接触位置が１箇所以下となった場合（ステップＳＡ５：ＹＥＳ）、制御部２０は、処理手順をステップＳＡ１へ戻す。
【００４６】
以下、第１の態様について詳述する。
第１の態様は、ユーザが、意図的に行うことが想定される２箇所以上の接触位置の変化とされる。２箇所以上の接触位置への接触操作があった場合であっても、２箇所以上の接触位置が第１の態様で変化しない場合は、制御部２０は、後述する音量増減モードへの移行を行わず、タッチパネル１１を用いた音量の変更を行わない。これにより、例えば、偶発的に２箇所以上の接触位置への接触操作が行われた後、ユーザの意図に反して音量増減モードへの移行が行われて、音量の変更が行われることが防止される。
以下、第１の態様について、２つの具体例を挙げて説明する。
【００４７】
＜第１の態様の第１の例＞
第１の態様の第１の例は、接触位置のそれぞれが互いに近づく方向移動した後に停止する態様である。
【００４８】
図５（Ａ）は、第１の例に係る第１の態様で変化する２箇所の接触位置の一例を示す図である。図５（Ａ）において、符号Ｐ１、Ｐ２は、それぞれ、第１の態様で変化する前のタッチパネル１１における２箇所の接触位置を示す。
図５（Ａ）に示す第１の態様の第１の例では、接触位置Ｐ１が、接触位置Ｐ２へ向かう方向へ移動して接触位置Ｐ１´に移動した後に停止し、これと一体的に、接触位置Ｐ２が接触位置Ｐ１へ向かう方向へ移動して接触位置Ｐ２´に移動した後に停止する。すなわち、図５（Ａ）に示す第１の態様の第１の例では、２箇所の接触位置が互いに近づく方向へ移動した後に停止する。
【００４９】
図５（Ａ）に示す第１の態様の第１の例に係る接触位置Ｐ１、Ｐ２の変化は、図４（Ａ）に示す状態で２箇所の接触位置への接触操作が行われている場合、図４（Ａ）において矢印Ｘａが示す方向に２本の手指が移動した場合（いわゆるピンチインに準じた操作が行われた場合）に生じる。このような２本の手指は、ロータリスイッチ１４のつまみ部を、２本の手指によって把持し押圧する操作に近似した操作である。このように、第１の態様の第１の例によれば、タッチパネル１１を利用した音量の変更に際して、ユーザは、ロータリスイッチ１４のつまみ部を把持し押圧する際の態様と同様の態様で手指を動かせばよく、タッチパネル１１を利用して音量を変更するときに行うべき作業がユーザにとってイメージしやすい。
【００５０】
図５（Ｂ）は、第１の例に係る第１の態様で変化する３箇所の接触位置の一例を示す図である。図５（Ｂ）において、符号Ｐ３、Ｐ４、Ｐ５は、それぞれ、第１の態様で変化する前のタッチパネル１１における３箇所の接触位置を示す。
図５（Ｂ）に示す第１の態様の第１の例では、接触位置Ｐ３、接触位置Ｐ４、及び、接触位置Ｐ５のそれぞれが、一体的に、これら接触位置で囲まれる領域の中心部へ向かって移動した後、接触位置Ｐ３は接触位置Ｐ３´で停止し、接触位置Ｐ４は接触位置Ｐ４´で停止し、接触位置Ｐ５は接触位置Ｐ５´で停止する。すなわち、図５（Ｂ）に示す第１の態様の第１の例では、３箇所の接触位置が互いに近づく方向へ移動した後に停止する。
【００５１】
図５（Ｂ）に示す第１の態様の第１の例に係る接触位置Ｐ３、Ｐ４、Ｐ５の変化は、図４（Ｂ）に示す状態で３箇所の接触位置への接触操作が行われている場合、図４（Ｂ）において矢印Ｘｂが示す方向に３本の手指が移動した場合（いわゆるピンチインに準じた操作が行われた場合）に生じる。このような３本の手指は、ロータリスイッチ１４のつまみ部を、３本の手指によって把持し押圧する操作に近似した操作である。このように、第１の態様の第１の例によれば、タッチパネル１１を利用した音量の変更に際して、ユーザは、ロータリスイッチ１４のつまみ部を把持し押圧する際の態様と同様の態様で手指を動かせばよく、タッチパネル１１を利用して音量を変更するときに行うべき作業がユーザにとってイメージしやすい。
【００５２】
＜第１の態様の第２の例＞
第１の態様の第２の例は、接触位置のそれぞれが互いに離れる方向移動した後に停止する態様である。
【００５３】
図５（Ｃ）は、第２の例に係る第１の態様で変化する２箇所の接触位置の一例を示す図である。図５（Ｃ）において、符号Ｐ６、Ｐ７は、それぞれ、第１の態様で変化する前のタッチパネル１１における２箇所の接触位置を示す。
図５（Ｃ）に示す第１の態様の第２の例では、接触位置Ｐ６が、接触位置Ｐ７へ向かう方向と反対の方向へ移動して接触位置Ｐ６´に移動した後に停止し、これと一体的に、接触位置Ｐ７が接触位置Ｐ６へ向かう方向と反対の方向へ移動して接触位置Ｐ７´に移動した後に停止する。すなわち、図５（Ｃ）に示す第１の態様の第２の例では、２箇所の接触位置が互いに離れる方向へ移動した後に停止する。
【００５４】
図５（Ｃ）に示す第１の態様の第２の例に係る接触位置Ｐ６、Ｐ７の変化は、図４（Ａ）に示す状態で２箇所の接触位置への接触操作が行われている場合、図４（Ａ）において矢印Ｙａが示す方向に２本の手指が移動した場合（いわゆるピンチアウトに準じた操作が行われた場合）に生じる。ここで、ピンチアウトに準じた操作は、タッチパネルに対する操作として広く普及した操作であり、ユーザは、２箇所の接触位置を接触操作している場合において、第１の態様の第２の例に係る操作を容易に実行できる。
【００５５】
図５（Ｄ）は、第２の例に係る第１の態様で変化する３箇所の接触位置の一例を示す図である。図５（Ｄ）において、符号Ｐ８、Ｐ９、Ｐ１０は、それぞれ、第１の態様で変化する前のタッチパネル１１における３箇所の接触位置を示す。
図５（Ｄ）に示す第１の態様の第２の例では、接触位置Ｐ８、接触位置Ｐ９、及び、接触位置Ｐ１０のそれぞれが、一体的に、これら接触位置で囲まれる領域の中心部から離れる方向へ向かって移動した後、接触位置Ｐ８は接触位置Ｐ８´で停止し、接触位置Ｐ９は接触位置Ｐ９´で停止し、接触位置Ｐ１０は接触位置Ｐ１０´で停止する。すなわち、図５（Ｄ）に示す第１の態様の第２の例では、３箇所の接触位置が互いに離れる方向へ移動した後に停止する。
【００５６】
図５（Ｄ）に示す第１の態様の第２の例に係る接触位置Ｐ８、Ｐ９、Ｐ１０の変化は、図４（Ｂ）に示す状態で３箇所の接触位置への接触操作が行われている場合、図４（Ｂ）において矢印Ｙｂが示す方向に３本の手指が移動した場合（いわゆるピンチアウトに準じた操作が行われた場合）に生じる。ここで、ピンチアウトに準じた操作は、タッチパネルに対する操作として広く普及した操作であり、ユーザは、３箇所の接触位置を接触操作している場合において、第１の態様の第２の例に係る操作を容易に実行できる。
【００５７】
以上、第１の態様を２つ例示したが、第１の態様は、例示したものに限らない。ただし、上述したように、第１の例に係る第１の態様に対応する操作は、ロータリスイッチ１４に対する操作と近似した操作であり、音量の変更を行うためにどのような操作を行えばよいかユーザがイメージしやすく、音量の変更を行うための操作として適切である。また、第１の態様に係る接触位置の変化は、偶発的に発生しにくく、かつ、ユーザの意図的な操作に起因して発生する変化であることが望ましい。
【００５８】
図３に示すように、ステップＳＡ４において、２箇所以上の接触位置が第１の態様で変化したことを検出した場合（ステップＳＡ４：ＹＥＳ）、制御部２０は、動作モードを、音量増減モードへ移行する（ステップＳＡ６）。
【００５９】
音量増減モードは、後に詳述するように、当該モードに移行している間に、第２の態様で２箇所以上の接触位置が変化した場合に、出力する音声の音量を第２の態様に応じて増減させるモードである。
【００６０】
次いで、制御部２０は、オブジェクト表示設定がオンとなっているか否かを判別する（ステップＳＡ７）。オブジェクト表示設定ＯＧ（図６）とは、音量増減モードに移行した後、後述するオブジェクト画像ＯＧを表示するか否かに関する設定であり、オンの場合は表示し、オフの場合は表示しない。ユーザは、所定の手段によって、任意のタイミングで、オブジェクト表示設定のオン／オフを切り替えることができる。
【００６１】
オブジェクト表示設定がオフの場合（ステップＳＡ７：ＮＯ）、制御部２０は、オブジェクト画像ＯＧを表示することなく、処理手順をステップＳＡ９へ移行する。
【００６２】
オブジェクト表示設定がオンの場合（ステップＳＡ７：ＹＥＳ）、制御部２０は、タッチパネル１１にオブジェクト画像ＯＧを表示する（ステップＳＡ８）。以下、オブジェクト画像ＯＧについて説明すると共に、ステップＳＡ８の処理について説明する。
【００６３】
図６（Ａ）は、２箇所の接触位置に接触操作がある場合のオブジェクト画像ＯＧの一例を示す図である。図６（Ａ）において、符号Ｐ１１、Ｐ１２は、第１の態様で変化した後のタッチパネル１１における２箇所の接触位置を示す。
図６（Ｂ）は、３箇所の接触位置に接触操作がある場合のオブジェクト画像ＯＧの一例を示す図である。図６（Ｂ）において、符号Ｐ１３、Ｐ１４、Ｐ１５は、第１の態様で変化した後のタッチパネル１１における３箇所の接触位置を示す。
【００６４】
オブジェクト画像ＯＧの一例は、接触位置のそれぞれが外周に位置する円状の画像である。図６（Ａ）の例の場合、オブジェクト画像ＯＧは、接触位置Ｐ１１、及び、接触位置Ｐ１２が外周に位置する円状の画像である。また、図６（Ｂ）の場合、オブジェクト画像ＯＧは、接触位置Ｐ１３、接触位置Ｐ１４、及び、接触位置Ｐ１５が外周に位置する円状の画像である。
なお、全ての接触位置が、オブジェクト画像ＯＧの外周に正確に位置している必要はなく、一部又は全ての接触位置がオブジェクト画像ＯＧの外周から離間している状態であってもよい。
【００６５】
オブジェクト画像ＯＧの形状を円状とすることにより、以下のメリットがある。すなわち、オブジェクト画像ＯＧの形状が、ロータリスイッチ１４を正面視したときの形状に準じたものとなり、ユーザが、オブジェクト画像が音量の変更に用いられる画像であることをイメージしやすい。
【００６６】
また、オブジェクト画像ＯＧは半透明の画像である。制御部２０は、オブジェクト画像ＯＧと、オブジェクト画像ＯＧを表示する前にタッチパネル１１に表示されていた地図等の画像（以下、「背景画像」という。）とで重なる領域について、背景画像が透けて視認可能な態様で表示する。
【００６７】
オブジェクト画像ＯＧが半透明の画像であることにより、以下のメリットがある。すなわち、背景画像について、オブジェクト画像ＯＧの表示に起因して視認できなくなることが抑制され、ユーザの利便性が向上する。
【００６８】
図６（Ｃ）は、２箇所の接触位置に接触操作がある場合のオブジェクト画像ＯＧの一例を示す図である。図６（Ａ）において、符号Ｐ１６、Ｐ１７は、第１の態様で変化した後のタッチパネル１１における２箇所の接触位置を示す。
図６（Ｄ）は、３箇所の接触位置に接触操作がある場合のオブジェクト画像ＯＧの一例を示す図である。図６（Ｄ）において、符号Ｐ１８、Ｐ１９、Ｐ２０は、第１の態様で変化した後のタッチパネル１１における３箇所の接触位置を示す。
【００６９】
オブジェクト画像ＯＧの一例は、接触位置のそれぞれが外周に位置する環状の画像である。図６（Ｃ）の例の場合、オブジェクト画像ＯＧは、接触位置Ｐ１６、及び、接触位置Ｐ１７が外周に位置する環状の画像である。また、図６（Ｄ）の場合、オブジェクト画像ＯＧは、接触位置Ｐ１８、接触位置Ｐ１９、及び、接触位置Ｐ２０が外周に位置する環状の画像である。
なお、全ての接触位置が、オブジェクト画像ＯＧの外周に正確に位置している必要はなく、一部又は全ての接触位置がオブジェクト画像ＯＧの外周から離間している状態であってもよい。
【００７０】
オブジェクト画像ＯＧの形状を環状とすることにより、以下のメリットがある。すなわち、オブジェクト画像ＯＧを表示したときに、オブジェクト画像ＯＧの空洞部に対応する領域について背景画像が視認可能な状態となり、オブジェクト画像ＯＧの表示に起因して背景画像の視認できなくなる領域が抑制され、ユーザの利便性が向上する。
【００７１】
なお、環状のオブジェクト画像ＯＧについて、空洞部を除くリング部を、半透明としてもよい。これによって、背景画像の視認性がより向上する。
【００７２】
以上、オブジェクト画像ＯＧの態様について、具体例を挙げて説明したが、オブジェクト画像ＯＧの態様は、例示したものに限らず、例えば、四角形の画像であってもよい。すなわち、オブジェクト画像は、第１の態様で変化した後の接触位置に対応する領域に表示される画像であればよい。
また、接触位置が４箇所以上の場合において、円状、又は、環状のオブジェクト画像ＯＧを表示する場合、これら４箇所以上の接触位置が外周、又は、外周に近い位置に位置するオブジェクト画像ＯＧであればよい。
【００７３】
図３に示すように、ステップＳＡ６において、制御部２０は、接触位置のそれぞれに対応した所定の形状の所定のサイズのオブジェクト画像ＯＧの画像データを生成する。次いで、制御部２０は、生成したオブジェクト画像ＯＧの画像データを、フレームメモリーＦＭにおいて、接触位置のそれぞれの接触位置座標に対応した領域に展開する。なお、制御部２０は、接触位置座標と、フレームメモリーＦＭの各ドットの座標との対応関係を管理しており、接触位置座標を、フレームメモリーＦＭのドットの座標に変換する機能を有する。フレームメモリーＦＭへのオブジェクト画像ＯＧの画像データの展開に応じて、タッチパネル１１の対応する領域にオブジェクト画像ＯＧが表示される。
ステップＳＡ８の処理後、制御部２０は、処理手順をステップＳＡ９へ移行する。
【００７４】
なお、本実施形態では、オブジェクト表示設定をオフにすることにより、音量増減モードへ移行後もオブジェクト画像ＯＧを表示させないことができる。ここで、本実施形態では、ユーザは、タッチパネル１１への２箇所以上の接触位置への接触操作、及び、第１の態様で接触位置を変化させる操作という、視認が必要のない操作で音量増減モードへの移行を行わせることができるため、オブジェクト画像ＯＧが表示されない場合であっても、ユーザの利便性が損なわれることはない。ただし、オブジェクト画像ＯＧを表示することにより、助手席に着座する搭乗者等、タッチパネル１１を視認可能な者が、音量増減モードへ移行したことを認識できるメリットがある。
【００７５】
また、制御部２０は、オブジェクト画像ＯＧの表示に関し、以下の処理を実行する。
上述したように、制御部２０は、適宜、ビーコン受信ユニット２６、又は、ＦＭ多重受信ユニット２７からの入力に基づいて、道路交通情報を含むポップアップ画像をポップアップにより表示する。また、制御部２０は、適宜、経路の案内に係る情報を含むポップアップ画像をポップアップにより表示する。また、制御部２０は、適宜、携帯電話ＫＤから受信した受信通知情報を含むポップアップ画像を表示する。
【００７６】
そして、制御部２０は、オブジェクト画像ＯＧの表示中に、ポップアップ画像を表示する場合、少なくともポップアップ画像を表示している間はオブジェクト画像の表示を停止し、又は、オブジェクト画像ＯＧとポップアップ画像とが重なる領域についてポップアップ画像を優先して表示する。これは、以下の理由による。すなわち、ポップアップ画像が示す情報は、緊急性の高い情報である場合があり（道路交通情報等や、経路の案内に係る情報等）、また、ユーザが即座に認識することを望む情報である場合がある（受信通知情報等）。これを踏まえ、ポップアップ画像の表示に際して、上記処理が行われることにより、オブジェクト画像ＯＧよりもポップアップ画像が優先して表示されることとなり、ポップアップ画像の特性に適した態様で、ポップアップ画像、及び、オブジェクト画像ＯＧを表示できる。
【００７７】
図３に示すように、ステップＳＡ９への移行後、制御部２０は、２箇所以上の接触位置が第２の態様で変化したか否かを監視しつつ（ステップＳＡ９）、接触操作された接触位置が１箇所以下となったか否かを監視する（ステップＳＡ１０）。
【００７８】
２箇所以上の接触位置が第２の態様で変化することなく（ステップＳＡ９：ＮＯ）、接触操作された接触位置が１箇所以下となった場合（ステップＳＡ１０：ＹＥＳ）、制御部２０は、以下の処理を実行する。
【００７９】
すなわち、制御部２０は、接触位置が１箇所以下となってから期間Ｋ１（所定の期間。例えば、５秒。）が経過したか否かを監視しつつ（ステップＳＡ１１）、２箇所以上の接触位置が新たに検出されたか否かを監視する（ステップＳＡ１２）。
期間Ｋ１が経過することなく、２箇所以上の接触位置が新たに検出された場合（ステップＳＡ１２：ＹＥＳ）、制御部２０は、音量増減モードへの移行を解除することなく、処理手順をステップＳＡ９へ戻す。
【００８０】
一方、２箇所以上の接触位置が新たに検出されることなく、期間Ｋ１が経過した場合（ステップＳＡ１１：ＹＥＳ）、制御部２０は、音量増減モードへの移行を解除し（ステップＳＡ１３）、処理手順をステップＳＡ１へ戻す。なお、オブジェクト表示設定がオンであり、オブジェクト画像ＯＧをタッチパネル１１に表示している場合、制御部２０は、ステップＳＡ１３で音量増減モードへの移行を解除したときに、オブジェクト画像ＯＧの表示を停止する。ユーザは、オブジェクト画像ＯＧの表示が停止されたことを視認により認識することにより、音量増減モードへの移行が解除されたことを認識できる。
【００８１】
このように、本実施形態では、制御部２０は、音量増減モードへ移行後、接触位置が１箇所以下となったことをトリガーとして即座に音量増減モードへの移行を解除するのではなく、新たに２箇所以上の接触位置への接触操作が行われることなく期間Ｋ１が経過した場合に、音量増減モードへの移行を解除する。これは、以下の理由による。すなわち、ユーザは、音量を変更する意思がある場合であっても、音量増減モードへ移行後に接触位置のそれぞれへの接触操作を維持できない場合が生じ得る。特に、車載装置１は、車両に搭載される装置であるため、車両の走行に伴う揺れや、走行状況等に起因して、一時的に接触位置への接触操作が解除される場合がある。このような場合であっても、即座に音量増減モードへの移行が解除されないので、ユーザは、改めて、第１の態様に対応する操作を行う必要がなく、ユーザの利便性が向上する。
【００８２】
なお、制御部２０は、オブジェクト表示設定がオンであり、オブジェクト画像ＯＧを表示している場合において、期間Ｋ１内に新たに接触位置を検出した場合、新たに検出した接触位置に対応する形状、及び、サイズのオブジェクト画像を、当該新たに検出した接触位置に対応する領域に表示する。
【００８３】
さて、ステップＳＡ９において、２箇所以上の接触位置が第２の態様で変化したことを検出した場合（ステップＳＡ９：ＹＥＳ）、制御部２０は、音量変更処理を実行する（ステップＳＡ１４）。以下、第２の態様について説明した後、ステップＳＡ９の処理について説明し、次いで、音量変更処理について説明する。
【００８４】
第２の態様は、２箇所以上の接触位置が、時計回り、又は、反時計回りのいずれかの方向に一体的に回動する態様である。
【００８５】
図７（Ａ）は、接触位置が２箇所である場合の第２の態様について説明する図である。図７（Ａ）において、符号Ｐ２１、Ｐ２２は、それぞれ、第２の態様で変化する前の接触位置を示す。また、図７（Ａ）において、符号Ｏａは、接触位置Ｐ２１と、接触位置Ｐ２２との中心の点である回動中心点を示す。回動中心点Ｏａは、接触位置Ｐ２１と、接触位置Ｐ２２との中心に正確に位置している必要はない。
【００８６】
図７（Ａ）の場合、接触位置Ｐ２１が回動中心点Ｏａを中心として時計回りＱａに回動し、これと一体的に、接触位置Ｐ２２が回動中心点Ｏａを中心として時計回りＱａに回動する変化が、第２の態様に相当する。また、接触位置Ｐ２１が回動中心点Ｏａを中心として反時計回りＰａに回動し、これと一体的に、接触位置Ｐ２２が回動中心点Ｏａを中心として反時計回りＰａに回動する変化が、第２の態様に相当する。
【００８７】
図７（Ｂ）は、接触位置が３箇所である場合の第２の態様について説明する図である。図７（Ｂ）において、符号Ｐ２３、Ｐ２４、Ｐ２５は、それぞれ、第２の態様で変化する前の接触位置を示す。また、図７（Ｂ）において、符号Ｏｂは、接触位置Ｐ２３と、接触位置Ｐ２４と、接触位置Ｐ２５とを頂点とする三角形の外心の点である回動中心点を示す。回動中心点Ｏｂは、接触位置Ｐ２３と、接触位置Ｐ２４と、接触位置Ｐ２５との外心に正確に位置している必要はない。
【００８８】
図７（Ｂ）の場合、接触位置Ｐ２３が回動中心点Ｏｂを中心として時計回りＱｂに回動し、これと一体的に、接触位置Ｐ２４が回動中心点Ｏｂを中心として時計回りＱｂに回動し、これらと一体的に、接触位置Ｐ２５が回動中心点Ｏｂを中心として時計回りＱｂに回動する変化が、第２の態様に相当する。また、接触位置Ｐ２３が回動中心点Ｏｂを中心として反時計回りＰｂに回動し、これと一体的に、接触位置Ｐ２４が回動中心点Ｏｂを中心として反時計回りＰｂに回動し、これらと一体的に、接触位置Ｐ２５が回動中心点Ｏｂを中心として反時計回りＰｂに回動する変化が、第２の態様に相当する。
【００８９】
ステップＳＡ９において、制御部２０は、上述した所定の座標系（表示パネル１１１の表示領域の任意の位置を座標によって表すための座標系）における、回動中心点の座標を算出する。制御部２０は、接触位置が２箇所の場合は、２箇所の接触位置の中心に対応する位置の座標を回動中心点の座標とする。また、制御部２０は、接触位置が３箇所以上の場合は、各接触位置を頂点とする多角形の外接円の中心に対応する位置の座標を回動中心点の座標とする。
【００９０】
次いで、制御部２０は、タッチセンサ１１２からの入力に基づいて、接触位置のそれぞれの接触位置座標の変化を監視する。そして、制御部２０は、接触位置座標のそれぞれが、回動中心点の座標を中心として、時計回り又は反時計回りに、一体的に回動する変化をした場合、接触位置が第２の態様で変化したことを検出する。
【００９１】
上述したように、２箇所以上の接触位置が第２の態様で変化したことを検出した場合（ステップＳＡ９：ＹＥＳ）、制御部２０は、音量調整処理を実行する（ステップＳＡ１４）。以下、音量調整処理について詳述する。
【００９２】
ここで、ユーザは、第２の態様での接触位置を変化させる際、接触位置を回動させて、回動を停止した後、期間Ｋ２（例えば、２秒。）以内に接触位置への接触操作を解除するか、又は、期間Ｋ２以上の間、接触位置への接触操作を維持する操作を行う。後述するように、ユーザが、接触位置の回動を停止した後、期間Ｋ２以内に接触位置への接触操作を解除した場合、接触位置が回動した角度分の音量の増減が行われる。一方、接触位置の回動を停止した後、期間Ｋ２以上の間、接触位置への接触操作を維持した場合、接触操作が維持されている間、自動で、音量が継続して増減される
【００９３】
図８は、音量調整処理で制御部２０が実行する処理の詳細なフローチャートである。
図８に示すように、制御部２０は、第２の態様で接触位置が変化し、接触位置の回動が停止した後、期間Ｋ２以上の間、接触位置への接触操作が維持されたか否かを判別する（ステップＳＢ１）。
【００９４】
期間Ｋ２以上の間、接触位置への接触操作が維持された場合（ステップＳＢ１：ＹＥＳ）、制御部２０は、継続的な音量の増大、又は、継続的な音量の低減を開始する（ステップＳＢ２）。
【００９５】
ステップＳＢ２において、制御部２０は、第２の態様で接触位置が時計回りに回動していた場合は、継続的な音量の増大を開始する。継続的な音量の増大とは、所定の期間（例えば、０．２秒）の経過ごとに、一定の所定のレベル（例えば、２レベル）分、音量を増大させることをいう。制御部２０は、所定の期間ごとに、所定のレベル分の音量レベルの増大を指示する音量調整信号を音声処理部２９のボリューム回路に出力することによって、継続的な音量の増大を行う。
【００９６】
また、ステップＳＢ２において、制御部２０は、第２の態様で接触位置が反時計回りに回動していた場合は、継続的な音量の低減を開始する。継続的な音量の低減とは、所定の期間（例えば、０．２秒）の経過ごとに、一定の所定のレベル（例えば、２レベル）分、音量を低減させることをいう。制御部２０は、所定の期間ごとに、所定のレベル分の音量レベルの低減を指示する音量調整信号を音声処理部２９のボリューム回路に出力することによって、継続的な音量の低減を行う。
【００９７】
音量の継続的な増大、又は、低減を開始した後、制御部２０は、接触位置への接触操作が解除されたか否かを監視する（ステップＳＢ３）。接触位置への接触操作が解除された場合（ステップＳＢ３）、制御部２０は、継続的な音量の増大、又は、低減を停止し（ステップＳＢ４）、音量調整処理を終了する。
【００９８】
このように、本実施形態では、ユーザは、接触位置の回動、及び、回動後における接触位置への接触操作の維持という簡易な操作で、音量の増大、又は、低減を継続して実行させることができる。さらに、ユーザは、所望の音量となったときに接触位置への接触操作を解除するという簡易な操作を行うことにより、音量の増大、又は、低減を停止させることができる。
【００９９】
一方、ステップＳＢ１において、第２の態様で接触位置が変化し、接触位置の回動が停止した後、期間Ｋ２以内に、接触位置への接触操作が解除されたと判別した場合（ステップＳＢ１：ＮＯ）、制御部２０は、以下の処理を実行する。すなわち、制御部２０は、回転方向、及び、回動角度を特定する（ステップＳＢ５）。以下、ステップＳＢ５の処理について説明する。
【０１００】
ステップＳＢ５において、制御部２０は、２箇所以上の接触位置のうち、任意の１の接触位置を、回動方向、及び、回動角度の特定に利用する接触位置として決定する。以下、回動方向、及び、回動角度の特定に利用する接触位置を「対象接触位置」と表現する。
【０１０１】
次いで、制御部２０は、回動中心点を中心として対象接触位置が回動した方向（時計回り、又は、反時計回り）を回動方向として特定し、回動中心点を中心として対象接触位置が回動した角度を回動角度として特定する。
【０１０２】
図９（Ａ）は、回動方向、及び、回動角度の説明のため、対象接触位置と回動中心点との関係を示す図である。図９（Ａ）において、符号Ｐ２６は、第２の態様で変化する前の対象接触位置を示し、符号Ｐ２６´は、第２の態様で変化した後の対象接触位置を示す。また、図９（Ａ）において、符号ＯＯａは、回動中心点を示す。なお、上述したように、回動中心点は、接触位置が２箇所の場合は、２箇所の接触位置の中心に対応する位置の点であり、また、接触位置が３箇所以上の場合は、各接触位置を頂点とする多角形の外接円の中心に対応する位置の点である。
【０１０３】
図９（Ａ）の場合、対象接触位置は、第２の態様での変化により、回動中心点ＯＯａを中心として、時計回りに、角度θＲ１、回動している。この場合、ステップＳＢ５において、制御部２０は、回動方向が時計回りであると特定し、回動角度が角度θＲ１であると特定する。
【０１０４】
図９（Ｂ）は、回動方向、及び、回動角度の説明のため、対象接触位置と回動中心点との関係を示す図である。図９（Ｂ）において、符号Ｐ２７は、第２の態様で変化する前の対象接触位置を示し、符号Ｐ２７´は、第２の態様で変化した後の対象接触位置を示す。また、図９（Ｂ）において、符号ＯＯｂは、回動中心点を示す。
【０１０５】
図９（Ｂ）の場合、対象接触位置は、第２の態様での変化により、回動中心点ＯＯｂを中心として、反時計回りに、角度θＬ１、回動している。この場合、ステップＳＢ５において、制御部２０は、回動方向が反時計回りであると特定し、回動角度が角度θＬ１であると特定する。
【０１０６】
ステップＳＢ５において、制御部２０は、上述した所定の座標系における回動中心点の座標と、第２の態様で変化する前の対象接触位置の座標と、第２の態様で変化した後の対象接触位置の座標との関係により、回動方向、及び、回動角度を特定する。
なお、制御部２０は、第２の態様で変化する前の接触位置のそれぞれの接触位置座標と、変化した後の接触位置のそれぞれの接触位置座標とを、少なくとも、音量増減モードへ移行している間、所定の記憶領域に記憶する。
【０１０７】
なお、回動角度の値について、制御部２０は、所定のルールに従って小数点以下を切り捨て、又は、切り上げし、整数値とする。
【０１０８】
次いで、制御部２０は、第２の態様で変化する前の対象接触位置と、回動中心点との離間距離（以下、「対象離間距離」という。）を算出する（ステップＳＢ６）。ステップＳＢ６において、制御部２０は、上述した所定の座標系における回動中心点の座標と、第２の態様で変化する前の対象接触位置の座標との関係に基づいて、対象離間距離を算出する。
【０１０９】
ここで、２箇所以上の接触位置における１の接触位置及び他の接触位置の離間距離と、
対象離間距離とは、正の相関関係にあり、１の接触位置と他の接触位置との離間距離が大きいほど、対象離間距離の値は大きくなり、一方、１の接触位置と他の接触位置との離間距離が小さいほど対象離間距離の値は小さくなる。
【０１１０】
次いで、制御部２０は、ステップＳＢ６で算出した対象離間距離に基づいて、第１テーブルＴＢ１と、第２テーブルＴＢ２とのうち、使用するテーブルを特定する（ステップＳＢ７）。以下、第１テーブルＴＢ１、及び、第２テーブルＴＢ２について説明し、次いで、ステップＳＢ７の処理について説明する。
【０１１１】
図１０（Ａ）は第１テーブルＴＢ１の内容を示す図であり、図１０（Ｂ）は第２テーブルＴＢ２の内容を示す図である。
以下、第１テーブルＴＢ１、及び、第２テーブルＴＢ２を区別しない場合は、「テーブルＴＢ」と表現する。
【０１１２】
テーブルＴＢは、回動角度が取り得る値（１°、２°、３°・・・）ごとにレコードを有する関係データベースである。
図１０に示すように、テーブルＴＢの１件のレコードは、回動角度を示す情報が格納される回動角度フィールドＦ１と、対応する回動角度、対象接触位置が時計回りに回動した場合に増大させる音量レベルを示す情報を格納する増大量フィールドＦ２と、対応する回動角度、対象接触位置が反時計回りに回動した場合に低減させる音量レベルを示す情報を格納する低減量フィールドＦ３とを備える。
【０１１３】
例えば、図１０（Ａ）の第１テーブルＴＢ１の１件目のレコードＲ１ａは、対象接触位置が、１°、時計回りに回動した場合に、３レベル分、音量レベルを増大させ、また、１°、反時計回りに回動した場合に、４レベル分、音量レベルを低減させることを示す。
【０１１４】
図１０のテーブルＴＢの各レコードに示すように、同一の角度、時計回りに対象接触位置が回動したときの音量レベルの増大量（増大させるレベル）と、反時計回りに対象接触位置が回動したときの音量レベルの低減量（低減させるレベル）とは、増大量の方が、値が小さい。例えば、図１０（Ａ）の第１テーブルＴＢ１の１件目のレコードＲ１ａに示すように、１°、時計回りに対象接触位置が回動したときの増大量は「３レベル」であり、１°、反時計回りに態様接触位置が回動したときの低減量は「レベル４」であり、増大量の値の方が、低減量の値よりも小さい。すなわち、制御部２０は、２箇所以上の接触位置が時計回り（一の方向）へ、所定角度、回動したときの音量の増大量を、２箇所以上の接触位置が反時計回り（他の方向）へ、当該所定角度、回動したときの音量の低減量よりも小さくする。これは、以下の理由による。
【０１１５】
すなわち、ユーザ（車両の搭乗者。特に、運転手。）にとって、車両の外の環境で発生する音や、他のユーザの発話、車載装置１の他の装置が出力する音声等が重要になる場合がある。従って、タッチパネル１１を利用した音量の変更により、急激に、車載装置１が出力する音声の音量が増大し、ユーザの意に反して他の音が聞き取りにくくなることを防止する必要がある。これを踏まえ、時計回りに対象接触位置が回動したときの音量の増大量を、反時計回りに対象接触位置が回動したときの音量の低減量よりも小さくし、車載装置１が出力する音声の音量の急激な増大を防止している。
【０１１６】
図１０（Ａ）の第１テーブルＴＢ１と、図１０（Ｂ）の第２テーブルＴＢ２とは、以下の点で相違する。
すなわち、同一の回動角度、接触対象位置が時計回りに回動したときに増大させる音量の増大量が、第１テーブルＴＢ１の方が、第２テーブルＴＢ２よりも大きい。例えば、図１０（Ａ）の第１テーブルＴＢ１では、レコードＲ１ａに示すように、１°、時計回りに回動したときの音量の増大量は「３レベル」である。一方、図１０（Ｂ）の第２テーブルＴＢ２では、レコードＲ１ｂに示すように、１°、時計回りに回動したときの音量の増大量は「２レベル」である。
【０１１７】
また、同一の回動角度、接触対象位置が反時計回りに回動したときに低減させる音量の低減量が、第１テーブルＴＢ１の方が、第２テーブルＴＢ２よりも大きい。例えば、図１０（Ａ）の第１テーブルＴＢ１では、レコードＲ１ａに示すように、１°、反時計回りに回動したときの音量の低減量は「４レベル」である。一方、図１０（Ｂ）の第２テーブルＴＢ２では、レコードＲ１ｂに示すように、１°、反時計回りに回動したときの音量の低減量は「３レベル」である。
【０１１８】
ステップＳＢ７において、制御部２０は、ステップＳＢ６で算出した対象離間距離が予め定められた閾値ＴＨ１よりも大きいか否かを判別する。対象離間距離が閾値ＴＨ１よりも大きい場合、制御部２０は、使用するテーブルを、第１テーブルＴＢ１とする。一方、対象離間距離が閾値ＴＨ１よりも大きくない場合、制御部２０は、使用するテーブルを、第２テーブルＴＢ２とする。
【０１１９】
このように、制御部２０は、対象離間距離の値が閾値ＴＨ１よりも大きい場合は、第１テーブルＴＢ１を使用し、対象離間距離の値が閾値ＴＨ１よりも大きくない場合は、第２テーブルＴＢ２を使用する。これにより、制御部２０は、対象離間距離に応じて（＝２箇所以上の接触位置の離間距離に応じて）、対象接触位置が所定単位の角度で時計回りへ回動したときの音量の増大量を変化させ、また、対象離間距離に応じて（＝２箇所以上の接触位置の離間距離に応じて）、対象接触位置が所定単位の角度で反時計回りへ回動したときの音量の低減量を変化させる。
【０１２０】
より詳細には、制御部２０は、対象離間距離が所定の閾値ＴＨ１よりも大きい場合、大きくない場合と比較して、対象接触位置が所定単位の角度で時計回りへ回動したときの音量の増大量を増大させる。また、制御部２０は、対象離間距離が所定の閾値ＴＨ１よりも大きい場合、大きくない場合と比較して、対象接触位置が所定単位の角度で反時計回りへ回動したときの音量の低減量を増大させる。
【０１２１】
これにより、以下の効果を奏する。すなわち、ユーザは、第１の態様で変化した後の接触位置のそれぞれの離間距離を調整することによって、所定単位の角度で接触位置を回動したときの音量の増大量、又は、低減量を変化させることができる。具体的には、ユーザは、音量の大幅な増大、又は、低減を望む場合、第１の態様で変化した後の接触位置の離間距離を大きくし、対象接触位置が所定単位の角度で回動したときの音量の増大量、及び、低減量を、当該離間距離が小さい場合よりも増大させる。これにより、ユーザは、音量の大幅な増大、又は、低減を迅速に実現できる。また、ユーザは、音量の微調整を望む場合、第１の態様で変化した後の接触位置の離間距離を小さくし、対象接触位置が所定単位の角度で回動したときの音量の増大量、及び、低減量を当該離間距離が大きい場合よりも低減させる。これにより、ユーザは、音量の微調整を行うことができる。
【０１２２】
なお、本実施形態では、第１の態様で変化した後の接触位置の離間距離が大きいほど、所定単位の角度で接触位置が回動したときの音量の増大量、及び、低減量が大きくなる構成である。しかしながら、第１の態様で変化した後の接触位置の離間距離が大きいほど、所定単位の角度で接触位置が回動したときの音量の増大量、及び、低減量が小さくなる構成であってもよい。この構成であっても、ユーザは、第１の態様で変化した後の接触位置の離間距離を調整することにより、意図的に、接触位置が所定単位の角度で回動したときの音量の増大量、及び、低減量を変化させることができる。
【０１２３】
ステップＳＢ７で第１テーブルＴＢ１、及び、第２テーブルＴＢ２のうち、使用するテーブルを特定した後、制御部２０は、特定したテーブルＴＢのレコードから、ステップＳＢ５で特定した回動角度に対応するレコードを特定する（ステップＳＢ９）。
【０１２４】
次いで、制御部２０は、ステップＳＢ９で特定したレコードを参照し、ステップＳＢ５で特定した回動方向（時計回り、又は、反時計回り）に基づいて、増大させる音量レベル、又は、低減させる音量レベルを取得する（ステップＳＢ１０）。具体的には、制御部２０は、回動方向が時計回りの場合、ステップＳＢ９で特定したレコードの増大量フィールドＦ２に格納された情報を参照し、増大させる音量レベルを取得する。また、制御部２０は、回動方向が反時計回りの場合、ステップＳＢ９で特定したレコードの低減量フィールドＦ３に格納された情報を参照し、低減させる音量レベルを取得する。
【０１２５】
次いで、制御部２０は、ステップＳＢ１０で取得した音量レベルに対応する音量調整信号を生成する（ステップＳＢ１１）。具体的には、制御部２０は、ステップＳＢ１０で増大させる音量レベルを取得した場合、取得した音量レベル分、音量を増大させることを指示する音量調整信号を生成する。また、制御部２０は、ステップＳＢ１０で低減させる音量レベルを取得した場合、取得した音量レベル分、音量を低減させることを指示する音量調整信号を生成する。
【０１２６】
次いで、制御部２０は、ステップＳＢ１１で生成した音量調整信号を、音声処理部のボリューム回路に出力し、対応する音量レベル分、音量を増大させ、また、低減させ（ステップＳＢ１２）、音声調整処理を終了する。
【０１２７】
図３に示すように、音声調整処理を実行した後、制御部２０は、音量増減モードへの移行を解除し（ステップＳＡ１５）、処理手順をステップＳＡ１へ戻す。
【０１２８】
次に、車載装置１が出力する音声の音量の変更に関して、制御部２０が実行する他の処理について説明する。
制御部２０は、２箇所以上の接触位置を検出した後、各接触位置の離間距離が所定距離よりも小さくなった場合、音声処理部２９のボリューム回路に、音声の出力を停止させる音量調整信号を出力し、音声の出力を停止（いわゆるミュート）する。所定距離は、各接触位置が非常に近接したとき、例えば、２箇所以上の接触位置を接触操作する手指のそれぞれが接触する程度に近接したことに伴って各接触位置が近接したときに、取り得る値とされる。
【０１２９】
以上の処理が行われることにより、ユーザは、タッチパネル１１の２箇所以上の接触位置を接触操作して、各接触位置を非常に近接させるという簡易な操作を行うことにより、迅速に、かつ、容易に、音声の出力を停止させることができる。
【０１３０】
以上説明したように、本実施形態に係る車載装置１は、タッチパネル１１と、音声を出力する音声処理部２９と、タッチパネル１１が接触操作された場合、接触操作された接触位置を検出する制御部２０と、を備える。制御部２０は、２箇所以上の接触位置が第１の態様で変化したことを検出した場合、音量増減モードへ移行し、音量増減モードへ移行後、２箇所以上の接触位置が第２の態様で変化したことを検出した場合、変化に応じて音声処理部２９が出力する音声の音量を増減させる。
【０１３１】
この構成によれば、ユーザは、車載装置１を視認することなく、車載装置１の筐体１０の広い領域に設けられたタッチパネル１１に対する操作により、音量を増減させることが可能であり、音量の増減に係る操作に関し、ユーザの操作容易性が向上すると共に、利便性が向上する。
【０１３２】
また、本実施形態では、第１の態様は、２箇所以上の接触位置が一体的に変化する態様である。
【０１３３】
この構成によれば、偶発的に２箇所以上の接触位置への接触操作が行われた後、ユーザの意図に反して音量増減モードへの移行が行われて、音量の変更が行われることを防止できる。
【０１３４】
また、本実施形態では、第１の態様は、２箇所以上の接触位置が互いに近づく方向へ移動した後に停止する態様である。
【０１３５】
この構成によれば、音量の増減に際し、ユーザは、ロータリスイッチ１４のつまみ部を把持する際の態様と同様の態様で手指を動かせばよく、タッチパネル１１を利用して音量を変更するときに行うべき作業がユーザにとってイメージしやすい。
【０１３６】
また、本実施形態では、第２の態様は、２箇所以上の接触位置が、時計回り、又は、反時計回りのいずれかの方向に一体的に回動する態様である。そして、制御部は、２箇所以上の接触位置の時計回り（一の方向）への回動に応じて、音声処理部２９が出力する音声の音量を増大し、２箇所以上の接触位置の反時時計周り（他の方向）への回動に応じて、音声処理部２９が出力する音声の音量を低減する。
【０１３７】
この構成によれば、ユーザは、音量の増減に際し、ロータリスイッチ１４に対する操作と近似した操作を行えばよく、タッチパネル１１を利用して音量を変更するときに行うべき作業がユーザにとってイメージしやすい。
【０１３８】
また、本実施形態では、制御部２０は、２箇所以上の接触位置が時計回りへ回動した後、接触位置への接触操作が維持された状態で回動が停止した場合、接触位置への接触操作の解除に伴って接触位置が検出されなくなるまでの間、音声処理部２９が出力する音声の音量を継続して増大する。また、制御部２０は、２箇所以上の接触位置が反時計回りへ回動した後、接触位置への接触操作が維持された状態で回動が停止した場合、接触位置への接触操作の解除に伴って接触位置が検出されなくなるまでの間、音声処理部２９が出力する音声の音量を継続して低減する。
【０１３９】
この構成によれば、ユーザは、接触位置の回動、及び、回動後における接触位置への接触操作の維持という簡易な操作で、音量の増大、又は、低減を継続して実行させることができる。さらに、ユーザは、所望の音量となったときに接触位置への接触操作を解除するという簡易な操作を行うことにより、音量の増大、又は、低減を停止させることができる。
【０１４０】
また、本実施形態では、制御部２０は、対象離間距離に応じて、換言すれば、第１の態様で変化した後の２箇所以上の接触位置の離間距離に応じて、接触位置が所定単位の角度で一の方向へ回動したときの音量の増大量を変化させる。また、制御部２０は、対象離間距離に応じて、換言すれば、第１の態様で変化した後の２箇所以上の接触位置の離間距離に応じて、接触位置が所定単位の角度で他の方向へ回動したときの音量の低減量を変化させる。
【０１４１】
この構成によれば、ユーザは、第１の態様で変化した後の接触位置の離間距離を調整することによって、所定単位の角度で接触位置を回動させたときの音量の増大量、又は、低減量を変化させることができる。
【０１４２】
また、本実施形態では、制御部２０は、２箇所以上の接触位置が時計回りへ、所定角度、回動したときの音量の増大量を、２箇所以上の接触位置が反時計回りへ、当該所定角度、回動したときの音量の低減量よりも小さくする。
この構成によれば、車載装置１が出力する音声の音量の急激な増大を防止できる。
【０１４３】
また、本実施形態では、制御部２０は、２箇所以上の接触位置を検出した後、各接触位置の移動により、各接触位置の離間距離が所定距離よりも小さくなった場合、音声処理部２９による音声の出力を停止する。
【０１４４】
この構成によれば、ユーザは、タッチパネル１１の２箇所以上の接触位置を接触操作して、各接触位置を非常に近接させるという簡易な操作を行うことにより、迅速に、かつ、容易に、音声の出力を停止させることができる。
【０１４５】
また、本実施形態では、制御部２０は、２箇所以上の接触位置が第１の態様で変化したことを検出した場合、変化後の各接触位置に基づく形状のオブジェクト画像ＯＧをタッチパネル１１に表示する。
【０１４６】
この構成によれば、ユーザは、タッチパネル１１を視認することにより、音量増減モードへ移行し、タッチパネル１１の操作によって音量の増減が可能であることを認識できる。
【０１４７】
また、本実施形態では、オブジェクト画像ＯＧは、タッチパネル１１に表示された背景画像に重ねて表示される。そして、制御部２０は、オブジェクト画像ＯＧを、オブジェクト画像ＯＧが表示された領域に含まれる背景画像が透けて視認可能な態様で表示する。
【０１４８】
この構成によれば、背景画像について、オブジェクト画像ＯＧの表示に起因して視認できなくなることが抑制され、ユーザの利便性が向上する。
【０１４９】
また、本実施形態では、オブジェクト画像ＯＧは、２箇所以上の接触位置が外周に位置する円状の又は環状の画像である。
この構成によれば、オブジェクト画像ＯＧの形状が、ロータリスイッチ１４の形状に準じた形状となるため、ユーザは、表示されたオブジェクト画像ＯＧが、音量の変更に供される画像であることを容易に認識できる。
【０１５０】
また、本実施形態では、制御部２０は、オブジェクト画像ＯＧの表示中に、タッチパネル１１に、ポップアップ画像を表示する場合、オブジェクト画像ＯＧの表示を停止し、又は、オブジェクト画像ＯＧとポップアップ画像とが重なる領域についてポップアップ画像を優先して表示する。
【０１５１】
この構成によれば、ポップアップ画像の特性に適した態様で、ポップアップ画像、及び、オブジェクト画像ＯＧを表示できる。
【０１５２】
また、本実施形態では、制御部２０は、音量増減モードへ移行した後、接触位置への接触操作の解除に伴って２箇所以上の接触位置が検出されなくなった場合、２箇所以上の接触位置が検出されなくなった後、所定期間の間、音量増減モードへ移行した状態を維持し、２箇所以上の接触位置が検出されることなく、所定期間が経過した場合、音量増減モードへの移行を解除する。
この構成によれば、ユーザの意図に反して一時的に接触位置への接触操作が解除された場合であっても、即座に音量増減モードへの移行が解除されないので、ユーザは、改めて、第１の態様に対応する操作を行う必要がなく、ユーザの利便性が向上する。
【０１５３】
なお、上述した実施の形態は、あくまでも本発明の一態様を示すものであり、本発明の範囲内で任意に変形および応用が可能である。
例えば、図で示したフローチャートの処理単位は、車載装置１の制御部２０の処理を理解容易にするために、主な処理内容に応じて分割したものである。処理単位の分割の仕方や名称によって、本願発明が制限されることはない。制御部２０の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【０１５４】
また、上述した実施形態では、音量の変更の対象となる音声について、具体的に例示したが、音量の変更の対象となる音声は、例示したものに限られない。例えば、記憶部２１に音声データを記憶し、記憶した音声データに基づく音声の音量を調整する構成であってもよい。
【０１５５】
また、本発明は、車載装置１に、外部機器（例えば、搭乗者によって車内に持ち込まれた携帯電話（例えば、スマートフォン）や、ノートパソコン、タブレット端末、その他の機器）を接続し、車載装置１が外部機器と通信して、外部機器で動作するアプリケーションの機能に基づく画像を表示する場合にも適用可能である。
【０１５６】
また、上述した実施形態では、車載装置１は、車両に固定的に設けられる据え置き型の装置であった。しかしながら、車載装置１は、据え置き型の装置に限らず、車外に持ち運び可能なモバイル型の装置であってもよい。また、スマートフォン等の携帯電話や、タブレット端末、その他の車内に持ち運び可能な携帯機器であって、タッチパネルを有する機器を、車載装置１として機能させることも可能である。
【符号の説明】
【０１５７】
１  車載装置
１１  タッチパネル
２０  制御部
２９  音声処理部
ＯＧ  オブジェクト画像
【図１】
2016201016.tif 000003
【図２】
2016201016.tif 000004
【図３】
2016201016.tif 000005
【図４】
2016201016.tif 000006
【図５】
2016201016.tif 000007
【図６】
2016201016.tif 000008
【図７】
2016201016.tif 000009
【図８】
2016201016.tif 000010
【図９】
2016201016.tif 000011
【図１０】
2016201016.tif 000012